(57)【要約】【課題】直管型ＬＥＤ照明器具を簡易に設置でき、地震時に落下する恐れなく、盗難も防止する。取付部材のコンパクト化と取付容易化を目指す。【解決手段】直管型のＬＥＤ照明器具20の背面側略中央部に固定する取付部12と、天井や壁面等に固定する固定部11とからなる。固定部11は略矩形形状の板状体から成り、両側縁部に起立部11s, 11sを設け、取付部12は固定部11側の面が開放された略箱体形状のものから成る。取付部12と固定部11の両者を固定した状態で内部に空間が形成される。この内部空間内に安定器を設備する。取付部材20の横断面形状が固定部11に向かってその横幅が徐々に広く形成された略台形形状とする。【選択図】図１
2011076749.tif 000002
【特許請求の範囲】
【請求項１】
ＬＥＤ照明器具の背面側の適宜位置に固定できる少なくとも１つの取付部(12)と、天井又は壁面等の被設置部位に固定する少なくとも１つの固定部(11)とからなり、
前記取付部(12)と固定部(11)の周縁部で螺子等の固定手段によって両者を相互に固定することができ、
これら取付部(12)と固定部(11)の両者を固定した状態で、これら両者の内部に空間が形成されるようにし、
この内部空間内に安定器を設備することができることを特徴とするＬＥＤ照明器具の取付部材。
【請求項２】
固定部(11)として略矩形形状の板状体を使用し、取付部(12)として固定部(11)側の面が開放された略箱体形状のものを使用し、
固定部(11)の少なくとも両長辺側の側縁部を起立させて起立部(11s, 11s)を形成し、この起立部(11s, 11s)に前記取付部(12)の側縁部(12s, 12s)を接合して相互に固定することを特徴とする請求項１に記載のＬＥＤ照明器具の取付部材。
【請求項３】
固定部(11)として略矩形形状の板状体を使用し、取付部(12)として固定部(11)側の面が開放された略箱体形状のものを使用し、
取付部(12)の周縁部の少なくとも両長辺側の側縁部を略水平に折曲して折曲部(18, 18)を形成し、この折曲部(18, 18)を前記固定部(11)の長辺側の側縁部に接合して相互に固定することを特徴とする請求項１に記載のＬＥＤ照明器具の取付部材。
【請求項４】
取付部(12)の横断面形状が、固定部(11)に向かってその横幅が徐々に広く形成された略台形形状を有していることを特徴とする請求項２又は３に記載のＬＥＤ照明器具の取付部材。
【請求項５】
ＬＥＤ照明器具と取付部(12)の両者の固定において、内部に配線を挿通させることのできる少なくとも１本の管体を介在させ、当該管体の一端部を取付部(12)に固定し、その他端部をＬＥＤ照明器具の背面部の適宜位置に固定したことを特徴とする請求項１乃至４の何れか１項に記載のＬＥＤ照明器具の取付部材。
【発明の詳細な説明】
【技術分野】
【０００１】
本発明は、ＬＥＤ照明器具を天井や壁面等の各種の被設置部位に取り付けるための取付部材に関するものであり、直管型ＬＥＤ照明器具の取付用として開発したが、直管型に限らず、各種形状のＬＥＤ照明器具に広く応用できるものである。
【背景技術】
【０００２】
現在、既存の直管型蛍光灯の取付部材としては、蛍光灯の両端部の２本のピン端子を係合させて保持するソケットから成るものが殆どである。
このような取付部材としてのソケットは、直管型蛍光灯を簡単に取り付けることができ、しかも蛍光灯の交換の際も極めて簡単に取り外しすることが可能な極めて便利な構造を有するものである。
ところで現在は、省エネ、省資源、更にはＣＯ２削減等の観点からＬＥＤ照明器具が普及し、しかも、従来の蛍光灯のソケットにそのまま取り付けることができるタイプの直管型ＬＥＤ照明器具が開発され、市販されている。
【０００３】
このようなＬＥＤ照明器具は、細長い基板上に多数の砲弾型或いはチップタイプのＬＥＤ（発光ダイオード）を列設し、その背面にはアルミ製のヒートシンク等を設けたものからなり、その重量は従来の蛍光灯よりも重いものとなっている。
しかも、その製造コストも従来の蛍光灯に比較すると数倍高額のものとなっている。
【０００４】
そこで、このような重量のあるＬＥＤ照明器具の場合には、地震時等に際して、それ自体の重量のために器具の落下の問題が生じる。
また、器具自体が高価なものであるために、盗難の恐れも生じるのである。
従来のソケットの場合には、その取り付け・取り外しが極めて容易なために、蛍光灯の代わりにＬＥＤ照明器具をこの従来のソケットに装着すると、簡単に取り外され、盗難に遭遇する危険性が高いという問題が生じる。
【０００５】
このような問題は、従来の蛍光灯では全く生じなかった問題であり、これまでこれに対する対応手段というものは全く考慮されていなかった。
そこで、本願出願人は、先に特願２００９−３８８７４号として「ＬＥＤ照明器具の落下・盗難防止具」という発明を提案したものである。
この発明においては、やはり既存のソケットにＬＥＤ照明器具を取り付けた上で、尚かつそのソケットを介して特殊な治具を付加することにより、落下・盗難を防止するものであった。
【発明の概要】
【発明が解決しようとする課題】
【０００６】
そこで、本発明においては、上記先願にあるような付加的な治具でなく、全く新しい発想のもと、直管型ＬＥＤ照明器具を取り付け、固定することができ、尚かつ、容易に取り外すことはできない取付部材を創案して、盗難や地震時の落下を防止することをその課題とするものである。
尚、ここでいう盗難防止というのは、例えば何らかの工具等を用いて部材を破壊したり、分解することによってＬＥＤ照明器具を窃取するようなことを防止するという意味ではなく、何ら特別な手段に拠らずに、例えばＬＥＤ照明器具を手によって簡単に取り外して窃取するというようなことを防止するという意味である。
【０００７】
また、本発明においては、この取付部材のみで、直管型ＬＥＤ照明器具を、天井や壁面、或いは、従来の蛍光灯が設備されていた取付器具の部位においても簡単に取り付けでき、その他の取付用部材を必要とせずに、設置し固定できるものを提供することをその課題とするものである。
更には、直管型ＬＥＤ照明器具に限らず、例えば円環形状のＬＥＤ照明器具であっても、取り付けできること、直管型ＬＥＤ照明器具の長さも適宜異なるものであっても取付可能とすることもその課題となる。
【課題を解決するための手段】
【０００８】
上記課題を解決するために、本発明の第１のものは、ＬＥＤ照明器具の背面側の適宜位置に固定できる少なくとも１つの取付部と、天井又は壁面等の被設置部位に固定する少なくとも１つの固定部とからなり、前記取付部と固定部の周縁部で螺子等の固定手段によって両者を相互に固定することができ、これら取付部と固定部の両者を固定した状態で、これら両者の内部に空間が形成されるようにし、この内部空間内に安定器を設備することができることを特徴とするＬＥＤ照明器具の取付部材である。
ここで、ＬＥＤ照明器具の「背面側」というのは、ＬＥＤ照明器具のＬＥＤが列設された投光面を前面として、その反対側の背面側を意味する。
【０００９】
本発明の第２のものは、上記第１の発明において、固定部として略矩形形状の板状体を使用し、取付部として固定部側の面が開放された略箱体形状のものを使用し、固定部の少なくとも両長辺側の側縁部を起立させて起立部を形成し、この起立部に前記取付部の側縁部を接合して相互に固定することを特徴とするＬＥＤ照明器具の取付部材である。
【００１０】
本発明の第３のものは、上記第１の発明において、固定部として略矩形形状の板状体を使用し、取付部として固定部側の面が開放された略箱体形状のものを使用し、取付部の周縁部の少なくとも両長辺側の側縁部を略水平に折曲して折曲部を形成し、この折曲部を前記固定部の長辺側の側縁部に接合して相互に固定することを特徴とするＬＥＤ照明器具の取付部材である。
ここで、「略水平に折曲して」とあるのは、例えば、固定部を天井に固定した際に、この固定部の長辺側の側縁部に接合する取付部の側縁部を「略水平に」折曲して、取付部の側縁部と固定部の側縁部を適切に接合できるようにすることを意味する。
【００１１】
本発明の第４のものは、上記第２又は第３の発明において、取付部の横断面形状が、固定部に向かってその横幅が徐々に広く形成された略台形形状を有していることを特徴とするＬＥＤ照明器具の取付部材である。
【００１２】
本発明の第５のものは、上記第１乃至第４の何れかの発明において、ＬＥＤ照明器具と取付部の両者の固定において、内部に配線を挿通させることのできる少なくとも１本の管体を介在させ、当該管体の一端部を取付部に固定し、その他端部をＬＥＤ照明器具の背面部の適宜位置に固定したことを特徴とするＬＥＤ照明器具の取付部材である。
【発明の効果】
【００１３】
本発明の第１のものにおいては、まずＬＥＤ照明器具を取り付け、固定するための取付部材が、その内部に安定器を内臓させることができるため、照明器具の支持固定機能と安定器内蔵機能の両機能を兼備することができ、本発明に係る取付部材を天井や壁面、或いは既存の蛍光灯器具の部位に容易に取り付けて設置することができるのである。
換言すれば、天井や壁面、或いは既存の蛍光灯器具の適宜位置に配線用の貫通孔を設けるのみでよく、その貫通孔の位置に本発明に係る取付部材を固定してＬＥＤ照明器具を簡単に設置することができるのである。
【００１４】
次に、本発明に係る取付部材の１つを、例えば直管型ＬＥＤ照明器具の背面側の中央部に固定すれば、直管型ＬＥＤ照明器具の取付部材として極めてコンパクトなものとして施工することができる。
従来型の両端部に２本のピン端子が設けられたものにあっては、長い照明器具の両端部で支持をするために、取付器具としては少なくともその照明器具の長さと同等か、それ以上の長さを必要としていたのである。
【００１５】
更に、本発明においては、照明器具の両端部の支持・固定でなく、中央部分での固定であるために、上記のような両端部のピン端子が不要となり、その両端部の外観をスマートなものとすることもできる。
勿論言うまでもない事であるが、本発明においては、固定部と天井や壁面等の被取付部材との固定、固定部と取付部との固定、取付部とＬＥＤ照明器具との固定は、それぞれ例えば螺子等により固定できるために、地震時に落下したり、盗難等の恐れは無くなるのである。
【００１６】
また、本発明の取付部材においては、これに取り付ける直管型ＬＥＤ照明器具として、従来の蛍光灯器具のソケットに取り付けるのではないために、その長さも規定の２０Ｗ型や４０Ｗ型のものに合致させる必要がなく、適宜長さのＬＥＤ照明器具を取り付けることができるし、直管型でなく、例えば円環形状のＬＥＤ照明器具をも取り付けることができるものとなる。
【００１７】
本発明の第２のものにおいては、上記第１の発明と同じ効果を発揮するものであるが、固定部と取付部の形状を限定したものである。
即ち、固定部として略矩形形状（略長方形形状）の板状体を使用し、その両長辺側の側縁部に起立部を設け、この起立部に略箱体形状の取付部の側縁部を接合させて相互に固定したものである。
これにより、固定部と取付部の両者を固定した状態で略直方体が形成され、その内部に空間が形成され、その内部空間内に安定器を配備することができることとなるのである。
【００１８】
本発明の第３のものにおいても、上記第２の発明と同様に固定部と取付部の形状を限定したものであり、即ち、固定部として略矩形形状の板状体を使用し、略箱体形状の取付部の両長辺側の側縁部を略水平に折曲した折曲部を設け、この両折曲部を固定部の両長辺側縁に接合して固定したものである。
これにより、上記第２の発明と同様に固定部と取付部を固定した状態で、略直方体形状となり、内部空間が形成され、その内部に安定器を設備させることができることとなる。
【００１９】
このように、上記第２又は第３の発明においては、固定部と取付部の相互の固定により略直方体形状に形成しているが、この形状は必ずしも略直方体形状に限られず、例えば極端な話ではあるが、略円筒形状であっても、本発明を実施することができるのである。
そのために、請求項１においては、固定部と取付部との固定によってその内部に空間が形成されるが、その外部形状を限定しなかったのである。
しかしながら、上記第２又は第３の発明のように、固定部と取付部との固定により略直方体に形成することにより、例えば直管型ＬＥＤ照明器具の取り付けに本発明を用いた際に、直管型ＬＥＤ照明器具の長手方向に細長い略直方体の取付部材として実施できるため、その外観をスマートなものとすることができ、よりコンパクトなものとして実施することができるのである。
【００２０】
本発明の第４のものにおいては、固定部と取付部との固定によって形成される略箱体形状において、その横断面形状が長方形でなく、固定部の側に向かってその横幅が徐々に広がる略台形を呈するように形成したものである。
これにより、例えば直管型ＬＥＤ照明器具を固定する側面の横幅を狭く、固定部側の横幅を広く形成でき、本発明に係る取付部材をよりスマートな外観に形成することができることとなる。
【００２１】
本発明の第５のものにおいては、取付部と照明器具との固定において、管体を介在させたものである。
これにより、ＬＥＤ照明器具を取付部材から少し離隔した状態に固定することができることとなる。
つまり、このように構成することにより、設置部位の状況に応じて、照明器具を被取付部位である天井や壁面、或いは既存の取付器具からすこし離れた位置にＬＥＤ照明器具を取り付け、固定することができることとなるのである。
【図面の簡単な説明】
【００２２】
【図１】本発明の一実施形態に係る取付部材を示す一部分解全体説明図であって、直管型ＬＥＤ照明器具に取り付けた状態を図示している。
【図２】上記実施形態に係る要部拡大説明図であって、固定部を反対向きに示したものである。
【図３】上記実施形態の要部拡大説明図であって、図１の状態をそのまま拡大したものである。
【図４】本発明に係る取付部材の固定部と取付部の横断面形状の各種のパターンを示した模式図である。
【発明を実施するための形態】
【００２３】
以下、添付の図面と共に本発明の実施形態について説明する。
図１は、本発明の一実施形態に係る取付部材を示す一部分解全体説明図であって、直管型ＬＥＤ照明器具に取り付けた状態を図示している。
本発明に係る取付部材１０は、固定部１１と取付部１２とからなる。
固定部１１は、天井や壁面等の被取付部材に螺子等により固定される。
固定部１１は、略長方形形状の金属製板材からなり、その両長辺側の縁部が下方に折曲されて起立部１１ｓ、１１ｓが設けられている。
その中央部には配線を挿通できる挿通孔１３が設けられている。
【００２４】
取付部１２は、固定部１１側が開口され、その全体が略箱体形状を有する金属製のものである。
この取付部１２の底面１２ｂの長手方向に直管型のＬＥＤ照明器具２０が螺子等により固定されるのである。
ＬＥＤ照明器具２０は、その長手方向に基板が内設され、その基板上の図中下面側にＬＥＤチップが複数列設され、基板の図中上面側には放熱用のアルミ製のヒートシンクが設けられた細長い略円柱形状からなるものである。
【００２５】
この実施形態では、このヒートシンクの部分に、取付部１２の底面１２ｂが螺着される。
この取付部１２の底面１２ｂの略中央部には配線挿通用の挿通孔１４が形成されている。
そして、この取付部１２の両長辺側の側縁部１２ｓ、１２ｓが前記固定部１１の起立部１１ｓ、１１ｓと接合して、螺子により螺着され、固定される。
【００２６】
両者が固定されると、固定部１１及び取付部１２の内部には空間部が形成されて、この内部空間内に図示はしていなが、安定器、基板、配線等が内設されるのである。
従って、安定器を内蔵させて配線を完了することにより、本発明に係る取付部材１０を被取付部材の所定位置に固定することにより、簡単に直管型のＬＥＤ照明器具２０を設置することができる。
【００２７】
図２は、上記実施形態に係る要部拡大説明図である。
この図では、固定部１１の内面がよく判るように、内側を上向きとして反対向きに図示している。
固定部１１は、その長辺側に起立部１１ｓ、１１ｓが設けられ、その中央部には配線挿通用の挿通孔１３が穿設され、その両端部には螺子挿通孔１５、１５が２個ずつ形成されている。
これらの螺子挿通孔１５を利用して、天井や壁面等の被取付部材に螺着・固定される。
【００２８】
更に、上記螺子挿通孔１５、１５の内側に更に螺子孔１６、１６、…が形成されているが、これらの螺子孔を利用して図示はしていないが基板を固定し、その上に安定器を固定できる。
従って、施工手順としては、上記のように安定器等を固定した固定部１１を、例えば天井に配線用穴部が設けられた部位に固定し、その後にＬＥＤ照明器具２０が固定された取付部１２を結合して固定することにより、直管型のＬＥＤ照明器具２０が設置されることとなる。
【００２９】
固定部１１と取付部１２の固定は、固定部１１の両側縁の起立部１１ｓ、１１ｓに、取付部１２の両側縁１２ｓ、１２ｓを接合して、それぞれの螺子挿通穴を適合合致させて、螺子により螺着して行うことができる。
本実施形態では、取付部１２の両側縁１２ｓ、１２ｓが固定部１１の起立部１１ｓ、１１ｓの外側に配置される。
従って、両者の固定が完了すると、取付部１２の内部に固定部１１が隠れた状態となり、極めてスマートな外観を呈することとなるのである。
【００３０】
図３も前記実施形態の要部拡大説明図であって、図１の状態をそのまま拡大したものである。
この図から良く分かる通り、本実施形態においては、取付部１２の横断面形状（ＬＥＤ照明器具２０の長手方向と直交する断面形状）が台形を成している。
即ち、取付部材１２の横幅が、ＬＥＤ照明器具２０の側から固定部１１の側に向かって徐々に大きく形成されているのである。
【００３１】
これにより、ＬＥＤ照明器具２０との固定面（底面１２ｂ）側の横幅をＬＥＤ照明器具２０の外径とほぼ同一に形成し、その横幅を固定部１２側に向かって徐々に大きく形成して、内部に安定器等を内臓させることができるようにしている。
これにより、本発明に係る取付部材１０は、よりスマートな外観形状を保持させることができた。
【００３２】
以上の構成により、固定部１１に基板及び安定器等を固定して配線しつつ、例えば天井等にこの固定部１１を固定し、その後ＬＥＤ照明器具２０が固定され、配線された取付部１２を固定部１１に螺子により固定して、その設置が完了するのである。
【００３３】
図４は、本発明に係る取付部材１０における固定部１１と取付部１２との横断面形状の各種のパターンを図示した模式図である。
その（ａ）図においては、固定部１１及び取付部１２の断面形状は、上記実施形態と同一である。
つまり、固定部１１の両長辺側の側縁部に起立部１１ｓ、１１ｓが形成され、この起立部１１ｓ、１１ｓに取付部１２の側縁部が接合して固定され、その取付部材の横断面形状は、台形を呈するものである。
この横断面台形形状の内部空間に安定器が配備されるのである。
【００３４】
その（ｂ）図においては、接合部位は上記（ａ）と同様であるが、横断面形状が長方形を呈するものである。
この横断面長方形形状の内部空間に安定器が配備される。
その（ｃ）図においても、取付部材１０の横断面形状は長方形であるが、この例では、固定部１１の側が箱体形状に形成されており、取付部１２の側が板状体で、その両長辺側に起立部が形成されたものである。
このように、本発明にあっては、箱体形状に形成するのは固定部或いは取付部の何れの側であってもよいものである。
【００３５】
その（ｄ）図においては、取付部材２０の横断面形状は略台形形状であるが、固定部１１は板状体のものからなり、箱体形状の取付部１２の両側縁部に折曲部１８、１８を略水平に形成して、これら両折曲部１８、１８を固定部１１の両長辺部の側縁部に螺着したものである。
その（ｅ）図に記載したものにおいては、固定部１１と取付部１２の接合部分は前記（ｄ）図に記載したものと同様であるが、取付部材２０の断面形状を略長方形形状に構成したものである。
【００３６】
このように、固定部と取付部の形状は、各種設計変更することができ、その横断面形状を、長方形形状或いは台形形状その他の形状とすることができ、要は内部空間を形成して、その内部空間内に安定器等を内臓できる形状にすればよいのである。
従って、この内部空間が設けられる形態であれば、その立体形状はどのようなものでもよく、例えば略円筒形状等であってもよいのである。
しかし、その外観のスマートさを考慮すれば、横断面形状は略台形形状がもっとも相応しいものとなる。
【００３７】
以上、実施形態について説明したが、本発明においては以下の通り各種設計変更が可能である。
本発明の取付部材が取り付けることのできるＬＥＤ照明器具は、直管型ＬＥＤ照明器具ばかりでなく、例えば円環形状等の各種形状のものを取り付けることができる。
【００３８】
直管型ＬＥＤ照明器具にあっては、従来の１０ワット型、２０ワット型、４０ワット型蛍光灯と同一の長さのものとして実施することもできるが、本発明にあっては、その長さの限定は不要で、どのような長さのものにも対応可能である。
また、ＬＥＤ照明器具の種類、例えば砲弾型ＬＥＤを用いたもの、或いはチップタイプのもの、更にはパワーＬＥＤを用いたものでも何でも適合させることができる。
【００３９】
また、天井や壁等に設置された既存の蛍光灯器具に適用する際は、上記した通り、既存の蛍光灯サイズに適合させる必要もなく、それよりも少し短い長さの直管型ＬＥＤ照明器具を使用することも可能となる。
即ち、従来の蛍光灯取付器具のソケットを使用しないために、従来の蛍光灯の長さに適合させる必要が無いのである。
【００４０】
固定部及び取付部は、上記実施形態では金属製のものを使用したが、これらを合成樹脂製のもので置換することも可能である。
本発明においては、取付部材に安定器等を内臓させて、固定機能と安定器内臓機能とを兼務させているが、そのサイズは、安定器のサイズに適合させることができるため、安定器のサイズを小さく出来れば、取付部材のサイズもコンパクト化でき、少なくとも直管型ＬＥＤ照明器具を保持し、固定できる最小サイズにまで最小化させることが可能なものとなる。
【００４１】
上記実施形態では、取付部材を直管型ＬＥＤ照明器具の背面側の略中央部に１つ設けたものとして実施したが、この取付部材は、２個設けることもできるが、この場合には一方の取付部材の内部空間内に安定器を配備させればよい。
しかしながら、本発明に係る取付部材は、それを１つ用いたものがベストであり、よりコンパクトとなり、外観もスマートなものとなる。
【００４２】
最後に、取付部とＬＥＤ照明器具との間に、配線が挿通可能な金属製管体を介在させ、その管体の一方端部を取付部に固定し、その他方端部ＬＥＤ照明器具の背面に固定することによって、ＬＥＤ照明器具を取付部から離隔した状態に設置できる構成とすることも容易に可能となるものである。これにより様々な設置部位の状況にも対応させることができることとなる。
【００４３】
以上、本発明は、簡易な構成にしてＬＥＤ照明器具の落下防止及び盗難防止効果を備えた取付部材を提供することができ、そしてよりコンパクトに、よりスマートにこの取付部材を設計することができ、しかもその取付部材の設置だけで、安定器等も内蔵しているために、より簡単に所望の部位に各種形態のＬＥＤ照明器具を設置することができることとなり、極めて画期的な取付部材を提供することができたものである。
【符号の説明】
【００４４】
１０  取付部材
１１  固定部
１１ｓ  起立部
１２  取付部
１２ｂ  底面部
１２ｓ  側縁部
１３、１４  挿通孔（配線用）
１８  折曲部
２０  直管型のＬＥＤ照明器具
【図１】
2011076749.tif 000003
【図２】
2011076749.tif 000004
【図３】
2011076749.tif 000005
【図４】
2011076749.tif 000006